【手続補正書】
【提出日】平成26年8月27日(2014.8.27)
【手続補正１】
【補正対象書類名】特許請求の範囲
【補正対象項目名】全文
【補正方法】変更
【補正の内容】
【特許請求の範囲】
【請求項１】
携帯用デバイスのためのセンサ配列であって、
少なくとも１つの伝送電極（ＴｘＭ）、少なくとも１つの補償電極（ＴｘＣ）、および、少なくとも１つの受信電極（ＲｘＭ）を備えている少なくとも１つの第１の電極構造（ＴｘＭ、ＴｘＣ、ＲｘＭ）と、
少なくとも１つの電場伝送電極（Ｔｘ１）、および、少なくとも１つの電場感知電極（Ｒｘ１）を備えている少なくとも１つの第２の電極構造（Ｔｘ１、Ｒｘ１）と、
前記少なくとも１つの伝送電極（ＴｘＭ）、前記少なくとも１つの補償電極（ＴｘＣ）、および、前記少なくとも１つの電場伝送電極（Ｔｘ１）に、電気交番信号を供給するための少なくとも１つの信号発生器（Ｇ）と
を備え、
前記少なくとも１つの伝送電極（ＴｘＭ）、前記少なくとも１つの補償電極（ＴｘＣ）、および前記少なくとも１つの受信電極（ＲｘＭ）は、互に関連して、前記少なくとも１つの伝送電極（ＴｘＭ）と前記少なくとも１つの受信電極（ＲｘＭ）との間に第１の交番電場が確立されることが可能であり、前記少なくとも１つの補償電極（ＴｘＣ）と前記少なくとも１つの受信電極（ＲｘＭ）との間に第２の交番電場が確立されることが可能であるように配列され、前記少なくとも１つの伝送電極（ＴｘＭ）、前記少なくとも１つの補償電極（ＴｘＣ）および前記少なくとも１つの受信電極（ＲｘＭ）は、手による前記携帯用デバイスの把持を検出するために使用され、
前記少なくとも１つの電場伝送電極（Ｔｘ１）および前記少なくとも１つの電場感知電極（Ｒｘ１）は、互に関連して、前記少なくとも１つの伝送電極（ＴｘＭ）および前記少なくとも１つの補償電極（ＴｘＣ）に関連して、前記少なくとも１つの電場伝送電極（Ｔｘ１）と前記少なくとも１つの電場感知電極（Ｒｘ１）との間に第３の交番電場が確立されることが可能であるように配列され、前記少なくとも１つの電場伝送電極（Ｔｘ１）および前記少なくとも１つの電場感知電極（Ｒｘ１）は、指の接近を検出するために使用される、デバイス。
【請求項２】
複数の信号発生器（Ｇ１、Ｇ２、Ｇ３、Ｇ４）を備え、前記少なくとも１つの伝送電極（ＴｘＭ）および前記少なくとも１つの電場伝送電極（ＴＸ１、ＴＸ２）は、異なる信号発生器（Ｇ１、Ｇ２）と結合されている、請求項１に記載のセンサデバイス。
【請求項３】
各信号発生器は、異なる周波数で動作する、請求項２に記載のセンサデバイス。
【請求項４】
前記少なくとも１つの補償電極（ＴｘＣ）および前記少なくとも１つの電場伝送電極（Ｔｘ１）は、ガルバニ結合されている、請求項１、２または３に記載のセンサデバイス。
【請求項５】
前記センサデバイスは、第１の動作モードおよび第２の動作モードにおいて動作可能であり、前記第１の動作モードにおいて、前記少なくとも１つの伝送電極（ＴｘＭ）、前記少なくとも１つの補償電極（ＴｘＣ）、および前記少なくとも１つの電場伝送電極（Ｔｘ１）が、前記電気交番信号を供給されることが可能であり、前記第２の動作モードにおいて、前記少なくとも１つの電場伝送電極（Ｔｘ１）のみ、前記電気交番信号を供給されることが可能である、請求項１〜４のいずれかに記載のセンサデバイス。
【請求項６】
前記第１の動作モードにおいて、前記少なくとも１つの伝送電極（ＴｘＭ）は、第１の電気交番信号を供給されることが可能であり、前記少なくとも１つの補償電極（ＴｘＣ）は、第２の電気交番信号を供給されることが可能であり、前記第１の電気交番信号は、前記第２の電気交番信号に対して位相シフトされている、請求項５に記載のセンサデバイス。
【請求項７】
前記少なくとも１つの伝送電極（ＴｘＭ）、前記少なくとも１つの補償電極（ＴｘＣ）、および、前記少なくとも電場伝送電極（Ｔｘ１）は、多重動作において、前記電気交番信号を供給される、請求項１〜６のいずれかに記載のセンサデバイス。
【請求項８】
前記第１の電極構造および前記第２の電極構造と結合されることが可能な評価デバイスをさらに備え、前記評価デバイスは、好ましくは、マイクロコントローラによって、前記少なくとも１つの受信電極（ＲｘＭ）においてタップされた第１の電気信号および前記少なくとも１つの電場感知電極（Ｒｘ１）においてタップされた第２の電気信号を評価するように適合されている、請求項１〜７のいずれかに記載のセンサデバイス。
【請求項９】
前記評価デバイスは、前記第１の電気信号および前記第２の電気信号がフィードされることが可能な増幅回路（ＡＭＰ）を含み、前記増幅回路（ＡＭＰ）の増幅は、好ましくは、調節可能である、請求項８に記載のセンサデバイス。
【請求項１０】
前記第１の電気信号および前記第２の電気信号は、時分割多重方式において前記増幅回路（ＡＭＰ）にフィードされることが可能であり、前記増幅回路（ＡＭＰ）の増幅は、フィードされる信号に応じて調節可能である、請求項９に記載のセンサデバイス。
【請求項１１】
請求項１〜１０のいずれかに記載の携帯用デバイスの接近および接触検出の方法であって、前記方法は、
前記少なくとも１つの伝送電極（ＴｘＭ）において放出される第１の交番電場（ＷＳ）および前記少なくとも１つの補償電極（ＴｘＣ）において放出される第２の交番電場（ＷＫ）を発生させるステップであって、前記第１の交番電場（ＷＳ）および前記第２の交番電場（ＷＫ）は、前記少なくとも１つの受信電極（ＲｘＭ）に結合される、ステップと、
前記少なくとも１つの電場伝送電極（Ｔｘ１）において放出される第３の交番電場（ＷＦ）を発生させるステップと、
前記携帯用デバイスの把持を決定ために、前記少なくとも１つの受信電極（ＲｘＭ）においてタップされる第１の電気信号を評価し、指による接近を決定するために、前記少なくとも１つの電場感知電極（Ｒｘ１）においてタップされる第２の電気信号を評価するステップと
を含む、方法。
【請求項１２】
第１の動作モードにおいて、前記少なくとも１つの伝送電極（ＴｘＭ）、前記少なくとも１つの補償電極（ＴｘＣ）、および、前記少なくとも１つの電場伝送電極（Ｔｘ１）が、前記電気交番信号を供給され、前記第２の動作モードにおいて、前記少なくとも１つの電場伝送電極（Ｔｘ１）のみ、前記電気交番信号を供給される、請求項１１に記載の方法。
【請求項１３】
前記電極（ＴｘＭ、ＴｘＣ、Ｔｘ１）は、多重方式に従って、前記電気交番信号を供給され、前記第１の電気信号および前記第２の電気信号は、多重方式においてタップされる、請求項１１または１２に記載の方法。
【請求項１４】
前記少なくとも１つの伝送電極（ＴｘＭ）は、第１の電気交番信号を供給され、前記少なくとも１つの補償電極（ＴｘＣ）は、第２の電気交番信号を供給され、前記第１の電気交番信号は、前記第２の電気交番信号に対して位相シフトされている、請求項１１〜１３のいずれかに記載の方法。
【請求項１５】
請求項１〜１０のいずれかに記載のセンサデバイスを有する携帯用デバイス。
【手続補正２】
【補正対象書類名】明細書
【補正対象項目名】００２４
【補正方法】変更
【補正の内容】
【００２４】
さらに、本発明は、本発明によるセンサデバイスを備えている携帯用デバイスを提供する。携帯用デバイスは、電気携帯用デバイス、特に、コンピュータマウス、携帯電話、遠隔制御、ゲームコンソールのための入力または制御手段、ミニコンピュータ、あるいは類似物であることができる。
本願明細書は、例えば、以下の項目も提供する。
（項目１）
センサデバイスであって、
少なくとも１つの伝送電極（ＴｘＭ）、少なくとも１つの補償電極（ＴｘＣ）、および、少なくとも１つの受信電極（ＲｘＭ）を備えている少なくとも１つの第１の電極構造（ＴｘＭ、ＴｘＣ、ＲｘＭ）と、
少なくとも１つの電場伝送電極（Ｔｘ１）、および、少なくとも１つの電場感知電極（Ｒｘ１）を備えている少なくとも１つの第２の電極構造（Ｔｘ１、Ｒｘ１）と、
前記少なくとも１つの伝送電極（ＴｘＭ）、前記少なくとも１つの補償電極（ＴｘＣ）、および、前記少なくとも１つの電場伝送電極（Ｔｘ１）に、電気交番信号を供給するための少なくとも１つの信号送信機（Ｇ）と
を備え、
前記少なくとも１つの伝送電極（ＴｘＭ）、前記少なくとも１つの補償電極（ＴｘＣ）、および前記少なくとも１つの受信電極（ＲｘＭ）は、互に関連して、前記少なくとも１つの伝送電極（ＴｘＭ）において放出される第１の交番電場（ＷＳ）および前記少なくとも１つの補償電極（ＴｘＣ）において放出される第２の交番電場（ＷＫ）が、前記少なくとも１つの受信電極（ＲｘＭ）に結合可能なように配列され、
前記少なくとも１つの電場伝送電極（Ｔｘ１）および前記少なくとも１つの電場感知電極（Ｒｘ１）は、互に関連して、前記少なくとも１つの電場伝送電極（Ｔｘ１）において放出される第３の交番電場（ＷＦ）が、前記少なくとも１つの電場感知電極（Ｒｘ１）に結合可能なように配列されている、センサデバイス。
（項目２）
前記少なくとも１つの補償電極（ＴｘＣ）および前記少なくとも１つの電場伝送電極（Ｔｘ１）は、ガルバニ結合されている、項目１に記載のセンサデバイス。
（項目３）
前記センサデバイスは、第１の動作モードおよび第２の動作モードにおいて動作可能であり、前記第１の動作モードにおいて、前記少なくとも１つの伝送電極（ＴｘＭ）、前記少なくとも１つの補償電極（ＴｘＣ）、および前記少なくとも１つの電場伝送電極（Ｔｘ１）が、前記電気交番信号を供給されることが可能であり、前記第２の動作モードにおいて、前記少なくとも１つの電場伝送電極（Ｔｘ１）のみ、前記電気交番信号を供給されることが可能である、項目１または２に記載のセンサデバイス。
（項目４）
前記第１の動作モードにおいて、前記少なくとも１つの伝送電極（ＴｘＭ）は、第１の電気交番信号を供給されることが可能であり、前記少なくとも１つの補償電極（ＴｘＣ）は、第２の電気交番信号を供給されることが可能であり、前記第１の電気交番信号は、前記第２の電気交番信号に対して位相シフトされている、項目３に記載のセンサデバイス。
（項目５）
前記少なくとも１つの伝送電極（ＴｘＭ）、前記少なくとも１つの補償電極（ＴｘＣ）、および、前記少なくとも電場伝送電極（Ｔｘ１）は、多重動作において、前記電気交番信号を供給される、項目１〜４のいずれかに記載のセンサデバイス。
（項目６）
前記第１の電極構造および前記第２の電極構造と結合されことが可能な評価デバイスをさらに備え、前記評価デバイスは、好ましくは、マイクロコントローラによって、前記少なくとも１つの受信電極（ＲｘＭ）においてタップされた第１の電気信号および前記少なくとも１つの電場感知電極（Ｒｘ１）においてタップされた第２の電気信号を評価するように適合されている、項目１〜５のいずれかに記載のセンサデバイス。
（項目７）
前記評価デバイスは、前記第１の電気信号および前記第２の電気信号がフィードされることが可能な増幅回路（ＡＭＰ）を含み、前記増幅回路（ＡＭＰ）の増幅は、好ましくは、調節可能である、項目６に記載のセンサデバイス。
（項目８）
前記第１の電気信号および前記第２の電気信号は、時分割多重方式において前記増幅回路（ＡＭＰ）にフィードされることが可能であり、前記増幅回路（ＡＭＰ）の増幅は、フィードされる信号に応じて調節可能である、項目７に記載のセンサデバイス。
（項目９）
接近および接触検出の方法であって、
少なくとも１つの伝送電極（ＴｘＭ）、少なくとも１つの補償電極（ＴｘＣ）、および、少なくとも１つの電場伝送電極（Ｔｘ１）に、電気交番信号を供給するステップであって、前記少なくとも１つの伝送電極（ＴｘＭ）において放出される第１の交番電場（ＷＳ）および前記少なくとも１つの補償電極（ＴｘＣ）において放出される第２の交番電場（ＷＫ）は、前記少なくとも１つの受信電極（ＲｘＭ）に結合されることが可能であり、前記少なくとも１つの電場伝送電極（Ｔｘ１）において放出される第３の交番電場（ＷＦ）は、少なくとも１つの電場感知電極（Ｒｘ１）に結合されることが可能である、ステップと、
前記少なくとも１つの受信電極（ＲｘＭ）においてタップされる第１の電気信号および前記少なくとも１つの電場感知電極（Ｒｘ１）においてタップされる第２の電気信号を評価するステップと
を含む、方法。
（項目１０）
第１の動作モードにおいて、前記少なくとも１つの伝送電極（ＴｘＭ）、前記少なくとも１つの補償電極（ＴｘＣ）、および、前記少なくとも１つの電場伝送電極（Ｔｘ１）が、前記電気交番信号を供給され、前記第２の動作モードにおいて、前記少なくとも１つの電場伝送電極（Ｔｘ１）のみ、前記電気交番信号を供給される、項目９に記載の方法。
（項目１１）
前記電極（ＴｘＭ、ＴｘＣ、Ｔｘ１）は、多重方式に従って、前記電気交番信号を供給され、前記第１の電気信号および前記第２の電気信号は、多重方式においてタップされる、項目９または１０に記載の方法。
（項目１２）
前記少なくとも１つの伝送電極（ＴｘＭ）は、第１の電気交番信号を供給され、前記少なくとも１つの補償電極（ＴｘＣ）は、第２の電気交番信号を供給され、前記第１の電気交番信号は、前記第２の電気交番信号に対して位相シフトされている、項目９から１１のいずれかに記載の方法。
（項目１３）
項目１から８のいずれかに記載のセンサデバイスを有する携帯用デバイス。